(57)【要約】【課題】デジタル受信機においてＤＥＭＵＸ処理ブロックへの入力数に関わらず、１つのＤＶＢチューナ・サブユニットで接続モデルを構成することによって、接続モデルとして必要最低限の情報を保持及び開示し、複数のＤＥＭＵＸ信号出力を同時に伝送できるようにすること。【解決手段】デジタル受信機１Ｂ自身が持つ機能、信号を入出力する端子ＥＩＰ、ＥＯＰ、とＳＯＰ、及び受信機内部における信号の流れ等の物理的な情報を仮想接続モデルとして表現し、モデル化記憶手段８Ｂに格納する。そして仮想接続モデルが出力する情報を、ネットワークＢで接続された機器間で共有できるデータ構造に変換する。任意のデジタル受信機に対して外部機器が特定の機能を要求するとき、デジタル信号機器９のコマンド制御手段９ａは仮想接続モデルに準拠したコマンドを発行する。【選択図】図１
2005094290.tif 000002
【特許請求の範囲】
【請求項１】
ネットワークで接続された複数の電子機器間で通信を行うシステムに用いるデジタル受信機であって、
前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶手段と、
前記モデル化記憶手段が保持する前記仮想接続モデルの情報を、前記ネットワークで接続された機器間で共有できるデータ構造に変換する変換手段と、
前記ネットワークに接続された任意のデジタル受信機に対して前記外部機器が特定の機能を要求するとき、前記モデル化記憶手段においてモデル化され仮想接続モデルに準拠したコマンドを発行するコマンド制御手段と、を備えることを特徴とするデジタル受信機。
【請求項２】
前記ネットワークは、ＩＥＥＥ１３９４規格のシリアルバスであることを特徴とする請求項１記載のデジタル受信機。
【請求項３】
前記モデル化記憶手段は、少なくともＩＥＥＥ１３９４規格のチューナ・ステイタス・ディスクリプタを記憶するものであることを特徴とする請求項１記載のデジタル受信機。
【請求項４】
前記コマンド制御手段は、ＩＥＥＥ１３９４規格のＤＳＩＴ（Direct Select Information Type）コマンドを発行することを特徴とする請求項１記載のデジタル受信機。
【請求項５】
ネットワークで接続された複数の電子機器間で通信を行うシステムに用いるデジタル受信機の情報伝送方法であって、
前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶ステップと、
前記モデル化記憶ステップで得られた前記仮想接続モデルの情報を、前記ネットワークで接続された機器間で共有できるデータ構造に変換する変換ステップと、
前記ネットワークに接続された任意のデジタル受信機に対して前記外部機器が特定の機能を要求するとき、前記モデル化記憶ステップにおいてモデル化され仮想接続モデルに準拠したコマンドを発行するコマンド制御ステップと、を備えることを特徴とする情報伝送方法。
【請求項６】
ネットワークで接続された複数の電子機器間で通信を行うシステムに用いるデジタル受信機の情報伝送方法のプログラムが記録された記録媒体であって、
前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶ステップと、
前記モデル化記憶ステップで得られた前記仮想接続モデルの情報を、前記ネットワークで接続された機器間で共有できるデータ構造に変換する変換ステップと、
前記ネットワークに接続された任意のデジタル受信機に対して前記外部機器が特定の機能を要求するとき、前記モデル化記憶ステップにおいてモデル化され仮想接続モデルに準拠したコマンドを発行するコマンド制御ステップと、を記載したことを特徴とする記録媒体。
【発明の詳細な説明】
【技術分野】
【０００１】
本発明は、例えばＩＥＥＥ１３９４シリアルバス（以下、１３９４シリアルバスという）に接続して使用する電子機器に関し、特に放送信号及び１３９４シリアルバス等からのデジタル信号を１系列または複数系列同時に入力し、異なる複数系列の信号として出力することのできるデジタル受信機、情報伝送方法、及び情報伝送方法のプログラムを記録した記録媒体に関するものである。
【背景技術】
【０００２】
以下の説明において、ＩＥＥＥ１３９４技術に関する記述は１３９４ＴＡ規格に従ったものとする。この１３９４ＴＡ規格は既に公開されている。また、１３９４シリアルバスを用いて多数の電子機器を１つのネットワークに接続するシステムがある。このようなネットワークに接続されている任意の電子機器間では、特定の電子機器から他の電子機器に対して制御を行うことや、情報の送受信を行うことができる。このような例が、例えば特許文献１に開示されている。
【０００３】
このシステム上で動作する電子機器の１つに、図１４に示す構成のデジタル受信機１Ａがある。このデジタル受信機１Ａは機能ブロックとして次のようなものがある。即ち、放送信号を入力後チューニングし、アナログ信号として出力するアナログチューナ２、放送信号を入力後チューニングし、デジタル信号として出力するデジタルチューナ３、デジタルチューニング信号をＤＥＭＵＸ処理（非多重化処理）するＤＥＭＵＸ処理ブロック４、信号を記憶する大容量記憶装置５、さらにこれら複数の入出力信号を入出力するためのアナログ出力ブロック６、デジタル入出力ブロック７、複数の入力端子及び出力端子とを備える。更に１３９４ＴＡ規格に従ったデジタル受信機１Ａは、後述するようなコマンド制御手段８ａ、モデル化記憶手段８ｂ、変換手段８ｃを備えている。このようにデジタル受信機１Ａ自身が有する複数の機能ブロック、信号の入出力端子、前記機能ブロック間の物理的な流れを用い、実体に則して表現した接続状態を実体接続モデルという。
【０００４】
このデジタル受信機１Ａは、単数または複数の入力信号に対してチューニングやＤＥＭＵＸ処理を同時に行い、処理後の信号を複数の異なる出力信号として１３９４シリアルバスＢを介してデジタル信号機器９に伝送することが可能である。また、アナログ出力ブロック６と伝送ケーブルを介し、アナログ信号機器１０に伝送することも可能である。１３９４接続機器としてデジタル信号機器９以外にも、１３９４シリアルバスＢに接続する他のＡＶ機器が存在していてもよい。以下の説明内容では、それらの接続機器とデジタル信号機器９とは置き換えが可能である。
【０００５】
またデジタル信号機器９は、デジタル受信機１Ａに対し、１３９４シリアルバスＢを介する通信コマンドを用いて、入力信号にチューニング及びＤＥＭＵＸ処理を施し、所望の１３９４シリアルバスＢ上の帯域にその信号を出力させるべく制御することが可能である。このような機能をコマンド制御手段９ａが担う。
【０００６】
ここで、これらの外部接続機器による制御を可能にするためには、デジタル受信機１Ａのモデル化記憶手段８ｂはＩＥＥＥ１３９４規格に従って、接続モデルの情報を構築して保持し、それらの情報を一定のフォーマットに従ったデータ構造を用いて開示する。そして通信コマンドに対して応答できる体制になっている。以下、このようなデジタル受信機が満たすべき条件について説明する。
【０００７】
まずデジタル受信機１Ａは、外部接続機器に対し自分が備えている機能や入出力形態を開示するために、規格に従って自身を仮想的な接続モデルで表現する。ここではその仮想的な接続モデルを仮想接続モデルと呼ぶ。図１５はデジタル受信機１Ａに対する従来例による仮想接続モデルを示す。図１５においてユニット（UNIT）１１Ａは、各機能ブロックの集合を意味し、図１４におけるデジタル受信機１Ａそのものを表す。
【０００８】
アナログチューナ・サブユニット（TUNER  SUBUNIT）１２は、ＮＴＳＣ等、ＤＶＢ放送信号以外の放送信号に対するチューニングを行う機能ブロックを意味し、図１４におけるアナログチューナ２を表す。ＤＶＢチューナ・サブユニット１０１（Ａ）、１０１（Ｂ）、１０１（Ｃ）は、ＤＶＢ放送信号に対するチューニング及びデジタル信号に対するＤＥＭＵＸ処理を行う機能ブロックを意味し、図１４におけるデジタルチューナ３及びＤＥＭＵＸ処理ブロック４を表す。ここで、デジタル受信機１Ａにおいてデジタルチューナ及びＤＥＭＵＸ処理ブロックが１つであることに対し、図１５の仮想接続モデルにおいてＤＶＢチューナ・サブユニット１０１が複数存在する理由は、従来のＤＶＢチューナ・サブユニットが持つ制約による。これについては後に詳細を説明する。またはディスク・サブユニット（ＤＩＳＣ  ＳＵＢＵＮＩＴ）１４は、任意の信号を蓄積する機能ブロックを意味し、図１４における大容量記憶装置５を表す。ディスク・サブユニット１４はＶＣＲサブユニットなど、他の蓄積手段を持つ機能ブロックであってもよい。図１５では簡便のため、ディスク・サブユニット１４の入力元を記載していないが、デジタル信号を出力する系であれば、任意の系から入力信号を得てもよい。
【０００９】
ＥＩＰ１、ＥＩＰ２は外部入力プラグ（External  Input  Plug）であり、ユニット１１Ａに付随するアナログ信号に対する入力口を意味し、それぞれ図１４のアンテナを示すＡＮＴ１、ＡＮＴ２からの信号口を表す。これら外部入力プラグＥＩＰ１、ＥＩＰ２は、アンテナなど外部に接続したアナログ信号発生ブロックからのアナログ信号を入力し、ユニット１１Ａ内でそれぞれアナログチューナ・サブユニット１２、ＤＶＢチューナ・サブユニット１０１（Ａ）に与える。
【００１０】
ＥＯＰ１は外部出力プラグ（External  Output  Plug）であり、ユニット１１Ａに付随するアナログ信号に対する出力口を意味し、図１４におけるアナログ信号機器１０への信号出力口を表す。この外部出力プラグＥＯＰはアナログチューナ・サブユニット１２からのアナログ信号を出力し、ケーブル等を介してモニタ等のアナログ信号機器に与える。また、図示していないが、ＤＶＢチューナ・サブユニット１０１（Ａ）、１０１（Ｂ）、１０１（Ｃ）の出力をアナログ信号として取り出すことも可能であり、その場合は、ＤＶＢチューナ・サブユニット１０１（Ａ）、１０１（Ｂ）、１０１（Ｃ）のソース・プラグＳＰと、外部出力プラグＥＯＰ１とを結線する。
【００１１】
ＳＩＰ１はシリアル・入力プラグ（Serial  Input  Plug）であり、ユニット１１Ａに付随する１３９４シリアルバスＢからの入力信号に対する入力口を意味し、図１４における１３９４シリアルバスＢのｉＰＣＲを表す。１３９４シリアルバスＢからデジタル信号はこのシリアル・入力プラグＳＩＰ１を介し、ユニット１１Ａ内のＤＶＢチューナ・サブユニット１０１（Ｃ）に入力される。
【００１２】
ＳＯＰ１、ＳＯＰ２、ＳＯＰ３はシリアル・出力プラグ（Serial  Output  Plug）であり、ユニット１１に付随する１３９４シリアルバス８への出力信号の出力口を意味し、図１４における１３９４シリアルバスＢのｏＰＣＲを表す。これらのシリアル・出力プラグＳＯＰ１、ＳＯＰ２、ＳＯＰ３は、ＤＶＢチューナ・サブユニット１０１（Ａ）、１０１（Ｂ）、１０１（Ｃ）から得られたデジタル信号を出力する。これらの出力信号は１３９４シリアルバスＢを介してデジタル信号機器９に伝送される。以上が図１４のデジタル受信機１Ａに対する図１５の仮想接続モデルの説明である。
【００１３】
次に、仮想接続モデルの構成要素であるＤＶＢチューナ・サブユニット１０１（Ａ）、１０１（Ｂ）、１０１（Ｃ）について詳細を説明する。以降は、これらをＤＶＢチューナ・サブユニット１０１と表記する。ＤＶＢチューナ・サブユニット１０１は、ＤＶＢ信号のチューニング処理機能とＤＥＭＵＸ処理機能とを持ち、図１４におけるデジタルチューナ３とＤＥＭＵＸ処理ブロック４とを複合した機能ブロックである。
【００１４】
図１６、図１７は、従来のＤＶＢチューナ・サブユニット１０１の内部構造を示す図である。従来のＤＶＢチューナ・サブユニット１０１は、図１６に示すようにチューニングブロック１５とＤＥＭＵＸ処理ブロック１０２から構成され、それぞれのブロック内では、入力信号に対するチューニング処理と、多重化された信号から所望の信号を抽出する非多重化処理（ＤＥＭＵＸ処理）とが行われる。またＡＤＰ１はアンテナ・デスティネーション・プラグ（Antenna  Destination  Plug）であり、ＤＶＢアンテナまたはそれに代わるアナログ出力機器から出力されたアナログ信号を入力する信号口を意味する。これは図１４におけるデジタルチューナ３に入力する信号口を表す。
【００１５】
ＤＤＰ１０１はＤＥＭＵＸ・デスティネーション・プラグ（Demux  Destination  Plug）であり、１３９４シリアルバスからの出力信号や、蓄積メディアなど他の機能ブロック（サブユニット）から出力されるデジタル信号を入力する信号口を意味する。これは図１４におけるＤＥＭＵＸ処理ブロック４に入力する信号口を表す。
【００１６】
図１４においてはＤＥＭＵＸ処理ブロック４への入力は３系統存在する。ここでアンテナ・デスティネーション・プラグＡＤＰ１及びＤＥＭＵＸ・デスティネーション・プラグＤＤＰ１０１は、規格上１つのＤＶＢチューナ・サブユニット１０１において付随数がそれぞれ高々１である。識別のために付与されるプラグＩＤはアンテナ・デスティネーション・プラグＡＤＰ１に００ｈを割り当て、ＤＥＭＵＸ・デスティネーション・プラグＤＤＰ１０１に０１ｈを割り当てると定められている。またＤＥＭＵＸ処理ブロック１０２は入力数が高々１と定められている。即ちＤＥＭＵＸ処理ブロック１０２は、入力信号としてチューニングブロック１５からの入力信号、又はＤＥＭＵＸ・デスティネーション・プラグＤＤＰ１０１からの入力信号のどちらか片方を選択し、ＤＥＭＵＸ処理して出力する。しかしＤＥＭＵＸ処理ブロック１０２は、信号を複数入力し、同時にＤＥＭＵＸ処理を行い、複数の信号を同時に出力することはできない。
【００１７】
図１６では、このＤＥＭＵＸ処理ブロック１０２の入力信号の選択機能をスイッチＳＷ２として表し、２つの切り替え状態を図１７（ａ）、（ｂ）に示す。これが従来のＤＶＢチューナ・サブユニット１０１における制限事項である。デジタル受信機１ＡにおいてＤＥＭＵＸ処理ブロックへの入力は３系統存在するので、接続モデルにはＤＶＢチューナ・サブユニットが３つ（１０１（Ａ）、１０１（Ｂ）、１０１（Ｃ））必要となる。図１５では簡便のため、これらＤＶＢチューナ・サブユニット１０１（Ａ）、１０１（Ｂ）、１０１（Ｃ）のＤＥＭＵＸ処理は、それぞれ図１４におけるＡＮＴ２からの入力信号、大容量記憶装置５からの入力信号、デジタル入出力ブロック７からの入力信号に対してのみ施されるモデルにしている。
【００１８】
しかし、特にＤＶＢチューナ・サブユニット１０１の入力元を上記のように固定する必要はない。また、ＤＥＭＵＸ処理ブロック１０２の出力数には制限はない。図１６に示すＳＰ１はソース・プラグ（Source  Plugs）であり、ＤＥＭＵＸ処理を施されたデジタル信号をＤＶＢチューナ・サブユニット１０１から出力する信号口を意味する。それは図１４におけるＤＥＭＵＸ処理ブロック４の信号口を表す。１つのＤＶＢチューナ・サブユニットは、１個以上、任意の個数のソース・プラグを持つ。そしてプラグＩＤには任意の値を付与する。
【００１９】
以上のように、ＤＶＢチューナ・サブユニット１０１は、アンテナ・デスティネーション・プラグＡＤＰ１から信号を入力し、チューニングブロック１５とＤＥＭＵＸ処理ブロック１０２を経由してソース・プラグＳＰ１から信号を出力する場合と、ＤＥＭＵＸ・デスティネーション・プラグＤＤＰ１０１から信号を入力し、ＤＥＭＵＸ処理ブロック１０２を経由してソース・プラグＳＰ１から出力する場合との２通りの入出力形態を持つ機能ブロックであることを説明し、その制限についても説明した。
【００２０】
次に、ＤＶＢチューナ・サブユニット１０１がＩＥＥＥ１３９４の規格上備えていなくてはならないチューナ・ステータス・ディスクリプタ（Tuner  Status  Descriptor）について説明する。ディスクリプタとは、ある情報を一定のフォーマットに従ってデータ列に変換したデータを指す。図１４に示すデジタル信号機器９は、コマンド制御手段９ａのリード・ディスクリプタ（READ  DESCRIPTOR）コマンド等を用いてそれらデータ列の読み出しを行うことができる。
【００２１】
図１８及び図１９はＤＶＢチューナ・サブユニット１０１が持つチューナ・ステータス・ディスクリプタの構成図である。このチューナ・ステータス・ディスクリプタＤ１０１は、ディスクリプタのバイト長、ＤＶＢチューナ・サブユニット１０１に関する固定情報を表すデータ・フィールドＤ１０２（general#tuner#statusフィールド）、ＤＶＢチューナ・サブユニット１０１が持つソース・プラグＳＰ１の数、及びそれらソース・プラグＳＰ１から出力する信号に関する可変情報を表すデータ・フィールドＤ１０５（source#plug#statusフィールド）から構成される。このうち、固定情報を表すデータ・フィールドＤ１０２は、図１９に示すようにＤＶＢチューナ・サブユニット１０１においてアンテナ・デスティネーション・プラグＡＤＰ１から入力される信号に関する情報を表すデータ・フィールドＤ１０３（antenna#input#infoフィールド）、ＤＥＭＵＸ処理の対象となるＤＥＭＵＸ信号の情報を表すデータ・フィールド、及びＤＥＭＵＸ・デスティネーション・プラグＤＤＰ１０１から入力される信号に関する情報を表すデータ・フィールドＤ１０４（demux#input#infoフィールド）から構成される。また、可変情報を表すデータ・フィールドＤ１０５は、個々のソース・プラグから出力されている信号の入力元に関する情報、及び出力している信号に関する情報を表すデータ・フィールドから構成される。
【００２２】
ここで、データフィールドＤ１０３、Ｄ１０４、Ｄ１０５について、図２０〜図２２を用いて相関を説明する。図２０のデータフィールドＤ１０３、図２１のデータフィールドＤ１０４、図２２のデータフィールドＤ１０５において、アドレス・オフセット０２ｈの上位１ビットである入力（input）フィールド（Ｆ１０１、Ｆ１０３、Ｆ１０６）には、入力信号に関する情報を設定する。まずデータフィールドＤ１０３には、アンテナ・デスティネーション・プラグＡＤＰ１から入力される信号に関する情報を設定するので、入力フィールドＦ１０１にアンテナ・デスティネーション・プラグＡＤＰ１からの入力を示す値０を設定し、続く下位７ビットの選局アンテナ（selected#antenna）のフィールドＦ１０２にアンテナ・デスティネーション・プラグＡＤＰ１と接続するユニットの外部入力プラグの値を設定する。例えば図１５の仮想接続モデルの場合、外部入力プラグＥＩＰ２のプラグＩＤを設定する。
【００２３】
また、データフィールドＤ１０４には、ＤＥＭＵＸ・デスティネーション・プラグＤＤＰ１０１から入力される信号に関する情報を設定する。この場合、入力フィールドＦ１０３にＤＥＭＵＸ・デスティネーション・プラグＤＤＰ１０１からの入力を示す値１を設定し、続く下位７ビットの予備（reserved）フィールドＦ１０４に００ｈを設定する。予備フィールドは、将来使用することがあってもよいが、現行の規格では使用しないフィールドを示し、使用しない場合は０でパディングすることが定められている。データフィールドＤ１０５には、個々のソース・プラグＳＰ１から出力する信号に関する可変情報を設定し、ソース・プラグの番号（source#plug#number）フィールドＦ１０５に着目するソース・プラグＳＰ１のプラグＩＤを設定する。入力フィールドＦ１０６には、着目するソース・プラグＳＰ１が、アンテナ・デスティネーション・プラグＡＤＰ１からの入力をＤＥＭＵＸ処理した信号を出力する場合は０を設定し、ＤＥＭＵＸ・デスティネーション・プラグＤＤＰ１０１からの入力をＤＥＭＵＸ処理した信号を出力する場合は１を設定する。つまり、ＳＷ２が図１７（ａ）の結線をする場合は０を設定し、図１７（ｂ）の結線をする場合は１を設定する。そして続く下位７ビットの予備フィールドＦ１０７に００ｈを設定する。以上が、ＤＶＢチューナ・サブユニット１０１が保持し、デジタル信号機器９に開示すべきデータ・フィールドであるチューナ・ステータス・ディスクリプタＤ１０１の説明である。
【００２４】
次に、ＤＶＢチューナ・サブユニット１０１に付随するコマンドセットである選局コマンドについて説明する。選局コマンドとは、チューナ・サブユニットに対し入力信号と出力口であるソース・プラグを指定し、チューナ・サブユニットからの信号の出力開始または出力停止を要求するコマンドである。デジタル信号機器９は、例えば選局コマンドの１つであるダイレクト・セレクト・インフォメーション・タイプ・コマンド（Direct  Select  Information  Typeコマンド、以下ＤＳＩＴコマンドという）を用いて、ＤＶＢチューナ・サブユニット１０１に対し、アンテナ入力信号の出力要求やＤＥＭＵＸ入力信号の出力要求を行うことができる。
【００２５】
図２３はＤＶＢチューナ・サブユニット１０１に付随する従来のＤＳＩＴ・コマンドの構成図である。ここではＤＳＩＴ・コマンドを例に取るが、他の選局コマンドにおいても同様の説明が適応される。図２３のＤＳＩＴ・コマンドにおいて、オペランド（operand）［０］のソース・プラグ・フィールドＦ１１８は、信号を出力させたいソース・プラグＳＰ１を指定するフィールドであり、所望のソース・プラグＳＰ１のプラグＩＤを設定する。また、オペランド［４］の入力フィールドＦ１１９、アンテナ番号（antenna#number）フィールドＦ１１０は、夫々入力信号、入力プラグを指定するフィールドである。
【００２６】
図２４及び図２５に設定値を示す。入力信号としてアンテナ入力信号を指定する場合、図２４に示すように、入力フィールドＦ１１１に０を設定し、アンテナ番号フィールドＦ１１２にアンテナ・デスティネーション・プラグのプラグＩＤを設定する。ＤＶＢチューナ・サブユニット１０１にＤＳＩＴ要求する場合、アンテナ・デスティネーション・プラグＡＤＰ１のプラグＩＤである００ｈを設定する。また、入力信号としてＤＥＭＵＸ入力信号を指定する場合、図２５に示すように、入力フィールドＦ１１３に１を設定し、アンテナ番号フィールドＦ１１４に００ｈを設定する。このときアンテナ番号フィールドＦ１１４は、予備フィールドである。
【００２７】
以上が、従来のＤＶＢチューナ・サブユニット１０１と、これを用いた接続モデル（図１５）、付随するチューナ・ステータス・ディスクリプタ（Ｄ１０１）及びＤＳＩＴ・コマンド（図２３）の説明である。
【特許文献１】特開平１０−２９０２３８号公報
【発明の開示】
【発明が解決しようとする課題】
【００２８】
図１４におけるＤＥＭＵＸ処理を要する機能を同時に複数提供できるデジタル受信機１Ａにおいて、従来のＤＶＢチューナ・サブユニット１０１を用いて接続モデルを構築する場合、図１５に示したような従来の仮想接続モデルには、ＤＥＭＵＸ処理ブロックへの入力の数と同じ数のＤＶＢチューナ・サブユニット１０１（Ａ）、１０１（Ｂ）、１０１（Ｃ）を用いる必要がある。これらのＤＶＢチューナ・サブユニット１０１においては、固定情報の内容が同一であるにも関わらず、個々のＤＶＢチューナ・サブユニットが付随情報を管理し、開示しなくてはならない。ＤＶＢチューナ・サブユニット１０１における必須の固定情報として、アイデンティファイア・ディスクリプタと呼ぶおよそ４５バイトのデータ構造が存在する。また、ＤＶＢチューナ・サブユニット１０１を制御するデジタル信号機器９においては、チューナ・ステータス・ディスクリプタＤ１０１を読み出して出力状態を問い合わせたり、電源状態を問い合わせたり等の制御操作を、個々のＤＶＢチューナ・サブユニット１０１に対して行わなくてはならず、ＤＶＢチューナ・サブユニット１０１が１つであれば一度で済む処理を重複して行う必要がある。
【００２９】
本発明はこのような問題点を解決するものであり、デジタル受信機においてＤＥＭＵＸ処理ブロックへの入力数に関わらず、１つのＤＶＢチューナ・サブユニットで仮想接続モデルを構成することによって、仮想接続モデルとして必要最低限の情報を保持及び開示し、複数のＤＥＭＵＸ処理ブロックの信号出力を同時に伝送できるデジタル受信機及び伝送方法を実現することを目的とする。また前記伝送方法のプログラムを記載した記録媒体を提供することも目的とする。
【課題を解決するための手段】
【００３０】
本願の請求項１の発明は、ネットワークで接続された複数の電子機器間で通信を行うシステムに用いるデジタル受信機であって、前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶手段と、前記モデル化記憶手段が保持する前記仮想接続モデルの情報を、前記ネットワークで接続された機器間で共有できるデータ構造に変換する変換手段と、前記ネットワークに接続された任意のデジタル受信機に対して前記外部機器が特定の機能を要求するとき、前記モデル化記憶手段においてモデル化され仮想接続モデルに準拠したコマンドを発行するコマンド制御手段と、を備えることを特徴とするものである。
【００３１】
本願の請求項２の発明は、請求項１のデジタル受信機において、前記ネットワークは、ＩＥＥＥ１３９４規格のシリアルバスであることを特徴とする。
【００３２】
本願の請求項３の発明は、請求項１のデジタル受信機において、前記モデル化記憶手段は、少なくともＩＥＥＥ１３９４規格のチューナ・ステータス・ディスクリプタを記憶するものであることを特徴とする。
【００３３】
本願の請求項４の発明は、請求項１のデジタル受信機において、前記コマンド制御手段は、ＩＥＥＥ１３９４規格のＤＳＩＴ（Direct Select Information Type）コマンドを発行することを特徴とする。
【００３４】
本願の請求項５の発明は、ネットワークで接続された複数の電子機器間で通信を行うシステムに用いるデジタル受信機の情報伝送方法であって、前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶ステップと、前記モデル化記憶ステップで得られた前記仮想接続モデルの情報を、前記ネットワークで接続された機器間で共有できるデータ構造に変換する変換ステップと、前記ネットワークに接続された任意のデジタル受信機に対して前記外部機器が特定の機能を要求するとき、前記モデル化記憶ステップにおいてモデル化され仮想接続モデルに準拠したコマンドを発行するコマンド制御ステップと、を備えることを特徴とする。
【００３５】
本願の請求項６の発明は、ネットワークで接続された複数の電子機器間で通信を行うシステムに用いるデジタル受信機の情報伝送方法のプログラムが記録された記録媒体であって、前記デジタル受信機自身が有する複数の機能ブロック、信号の入出力端子、前記機能ブロック間の物理的な流れを用いて表現した接続状態を実体接続モデルとし、前記デジタル受信機自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとするとき、前記デジタル受信機の実体接続モデルを前記仮想接続モデルに変換して記憶するモデル化記憶ステップと、前記モデル化記憶ステップで得られた前記仮想接続モデルの情報を、前記ネットワークで接続された機器間で共有できるデータ構造に変換する変換ステップと、前記ネットワークに接続された任意のデジタル受信機に対して前記外部機器が特定の機能を要求するとき、前記モデル化記憶ステップにおいてモデル化され仮想接続モデルに準拠したコマンドを発行するコマンド制御ステップと、を記載したことを特徴とする。
【発明の効果】
【００３６】
本発明によれば、必要最低限の情報を保持及び開示し、単純な制御手順を備えることで、複数のＤＥＭＵＸ信号出力を同時に伝送できるデジタル受信機及び情報伝送方法を提供することができる。
【発明を実施するための最良の形態】
【００３７】
以下本発明の実施の形態におけるデジタル受信機及び情報伝送方法について、図面を用いて説明する。図１は本発明の実施の形態におけるデジタル受信機１Ｂの構成図である。デジタル受信機１Ｂは、図１４に示すものと同様に、アナログチューナ２、デジタルチューナ３、ＤＥＭＵＸ処理ブロック４、大容量記憶装置５、アナログ出力ブロック６、デジタル入出力ブロック７を含んで構成される。
【００３８】
デジタル受信機１Ｂ自身が有する複数の機能ブロック、信号の入出力端子、機能ブロック間の物理的な流れを用いて表現した接続状態を実体接続モデルとし、デジタル受信機１Ｂ自身の構成要素を機能モデル化した複数のサブユニット、これらのサブユニットに接続される外部入力プラグ及び外部出力プラグ、外部機器とのコマンド及びデータの転送を行うシリアルバスを用いて表現した接続状態を仮想接続モデルとする。モデル化記憶手段８Ｂは、デジタル受信機１Ｂの実体接続モデルを仮想接続モデルに変換して記憶するものである。コマンド制御手段８Ａは、ネットワークに接続された任意のデジタル受信機に対してデジタル信号機器９などの外部機器が特定の機能を要求するとき、モデル化記憶手段８Ｂにおいてモデル化され仮想接続モデルに準拠したコマンドを発行するものである。変換手段８Ｃは、モデル化記憶手段８Ｂが保持する仮想接続モデルの情報を、ネットワークで接続された機器間で共有できるデータ構造に変換するものである。
【００３９】
図２はデジタル受信機１Ｂに用いられるＤＶＢチューナ・サブユニット１３の内部構成を示すモデル図である。このうち、チューニングブロック１５、アンテナ・デスティネーション・プラグＡＤＰ１、ソース・プラグＳＰ１は、夫々従来のＤＶＢチューナ・サブユニット１０１におけるチューニングブロック１５、アンテナ・デスティネーション・プラグＡＤＰ１、ソース・プラグＳＰ１と同一のものである。ＤＥＭＵＸ処理ブロック１６は、多重化された入力信号に対し所望の信号を取り出す機能ブロックを意味する。
【００４０】
本実施の形態のＤＥＭＵＸ処理ブロック１６は、従来のＤＶＢチューナ・サブユニット１０１におけるＤＥＭＵＸ処理ブロック１０２と異なり、複数の信号を入力し、複数のＤＥＭＵＸ処理を同時に行うことが可能である。ＤＤＰ１はＤＥＭＵＸ・デスティネーション・プラグであり、１３９４シリアルバスＢからの出力信号や、蓄積メディアなど他の機能ブロック（サブユニット）から出力されるデジタル信号のみを入力する信号口を意味する。従来のＤＶＢチューナ・サブユニット１０１におけるＤＥＭＵＸ・デスティネーション・プラグＤＤＰ１０１との違いは、１つのＤＶＢチューナ・サブユニット１３が複数のＤＥＭＵＸ・デスティネーション・プラグを持ち、ＤＥＭＵＸ処理ブロック１６に対して同時に信号を入力させることができる点である。
【００４１】
以上の複数入力が可能なＤＥＭＵＸ処理ブロック１６と、複数のＤＥＭＵＸ・デスティネーション・プラグＤＤＰ１とによって、ＤＶＢチューナ・サブユニット１３は、アンテナ入力信号及び任意の個数のＤＥＭＵＸ入力信号に対して同時にＤＥＭＵＸ処理を施し、異なる信号として出力する機能を実現できる。図３は入力スイッチングの一例であり、アンテナ入力信号及び１以上ｍ（ｍ：自然数）以下のＤＥＭＵＸ入力信号に対して同時にＤＥＭＵＸ処理を施す一例を表している。
【００４２】
ここで、ＤＶＢチューナ・サブユニット１３の内部では、プラグＩＤ＝０のアンテナ・デスティネーション・プラグＡＤＰ１から入力され、チューニングブロック１５及びＳＷ１（Ａ）を経由してＤＥＭＵＸブロック１６で処理された信号は、プラグＩＤ＝０のソース・プラグＳＰ１から出力される。またプラグＩＤ＝ｍのＤＥＭＵＸ・デスティネーション・プラグＤＤＰ１から入力され、ＳＷ１（Ｃ）を経由してＤＥＭＵＸブロック１６で処理された信号は、プラグＩＤ＝ｎ−１のソース・プラグＳＰ１から出力される。
【００４３】
ソース・プラグＳＰ１はＤＥＭＵＸ処理を施さないアンテナ入力信号を出力してもいいので、ソース・プラグの総数は１以上ｎ（０＜ｍ＜ｎ）である。こうして本実施の形態によるＤＶＢチューナ・サブユニット１３は、アンテナ・デスティネーション・プラグＡＤＰ１から信号を入力し、チューニングブロック１５とＤＥＭＵＸ処理ブロック１６を経由してソース・プラグＳＰ１から出力する入出力系と、ＤＥＭＵＸ・デスティネーション・プラグＤＤＰ１から信号を入力し、ＤＥＭＵＸ処理ブロック１６を経由してソース・プラグＳＰ１から出力する入出力系とを共存して備えることができる。また１つのＤＶＢチューナ・サブユニット内で異なる入力信号に対し同時にＤＥＭＵＸ処理を施し、異なる信号として出力する機能も実現できる。
【００４４】
図４は、以上のＤＶＢチューナ・サブユニット１３を用いたデジタル受信機１Ｂの仮想接続モデルである。このうち、アナログチューナ・サブユニット１２、ディスク・サブユニット１４、外部入力プラグＥＩＰ１、ＥＩＰ２、外部出力プラグＥＯＰ１、シリアル入力プラグＳＩＰ１、シリアル出力プラグＳＯＰ１、ＳＯＰ２、ＳＯＰ３は、従来のＤＶＢチューナ・サブユニット１０１における各構成要素と同じ機能を持つ。図１５に示す従来の仮想接続モデルとの違いは、従来ではＤＶＢチューナ・サブユニット１０１を複数用いる代わりに、本発明ではＤＶＢチューナ・サブユニット１３をただ１つ用いることで、デジタル受信機１Ｂが持つチューニング機能及び複数のＤＥＭＵＸ機能を表現する点である。以上のような仮想接続モデルが、不揮発性のメモリを用いたモデル化記憶手段８Ｂに格納される。
【００４５】
図４には、本実施の形態によるＤＶＢチューナ・サブユニット１３が、ＤＥＭＵＸ・デスティネーション・プラグを２つ（ＤＤＰ１、ＤＤＰ２）備え、ソース・プラグを３つ（ＳＰ１、ＳＰ２、ＳＰ３）備えるユニット１１Ｂの構成が示されている。これにより接続モデルが保持及び開示する必要のある情報は最小限で済み、またデジタル信号機器９においても、個々のＤＶＢチューナ・サブユニット１０１に対して行っていた制御を一度で済ませることができる。
【００４６】
次に、本実施の形態のＤＶＢチューナ・サブユニット１３が持つチューナ・ステータス・ディスクリプタＤ１について、図５及び図６を用いて説明する。チューナ・ステータス・ディスクリプタは、モデル化記憶手段８Ｂが保持する仮想接続モデルの情報を、ネットワーク、例えば１３９４シリアルバスＢで接続された機器間で共有できるデータ構造を示すものである。変換手段８Ｃがモデル化記憶手段８Ｂの内容を上記のデータ構造に変換する。なお、変換手段８Ｃの変換プログラムはデジタル受信機１の製造時に不揮発性メモリなどやハード・ディスク・ドライブに組み込まれているものとする。
【００４７】
チューナ・ステータス・ディスクリプタＤ１の構成は、従来のチューナ・ステータス・ディスクリプタＤ１０１とほぼ同じである。即ち、ディスクリプタのバイト長、本実施の形態によるＤＶＢチューナ・サブユニット１３に関する固定情報を表すデータ・フィールドＤ２、ＤＶＢチューナ・サブユニット１３が持つソース・プラグＳＰ１の数、及びそれらソース・プラグＳＰ１から出力する信号に関する可変情報を表すデータ・フィールドＤ５からなる。このうち、固定情報を表すデータ・フィールドＤ２は、本実施の形態によるＤＶＢチューナ・サブユニット１３において、アンテナ・デスティネーション・プラグＡＤＰ１から入力される信号に関する情報を表すデータ・フィールドＤ３、ＤＥＭＵＸ処理の対象となるＤＥＭＵＸ信号の情報を表すデータ・フィールド、及びＤＥＭＵＸ・デスティネーション・プラグＤＤＰ１から入力される信号に関する情報を表すデータ・フィールドＤ４から構成される。また、可変情報を表すデータ・フィールドＤ５は、個々のソースプラグから出力されている信号の入力元に関する情報と、出力信号に関する情報を表すデータ・フィールドとから構成される。
【００４８】
従来のチューナ・ステータス・ディスクリプタＤ１０１との違いについて、図７〜図９を用いて説明する。図７のアンテナ入力情報フィールドＤ３は、図２０のアンテナ入力情報フィールドＤ１０３と同じ構成であり、同様に設定する。図８のデマルチプレクサの入力情報フィールドＤ４は、入力フィールドＦ３に本実施の形態のＤＶＢチューナ・サブユニット１３におけるＤＥＭＵＸ・デスティネーション・プラグＤＤＰ１からの入力を示す値１を設定する。これは従来のデマルチプレクサの入力情報フィールドＤ１０４における入力フィールドＦ１０３と同じ意味をもつ。これに続く下位７ビットの「最大プラグ番号から１を減算した値」（max#plug#number−１）のフィールドＦ４には、本実施の形態によるＤＶＢチューナ・サブユニット１３が持つＤＥＭＵＸ・デスティネーション・プラグＤＤＰ１の個数から１を引いた値を設定する。本フィールドを参照することによって、ＤＶＢチューナ・サブユニットがいくつのＤＥＭＵＸ・デスティネーション・プラグを備えているかが判る。
【００４９】
図９のソース・プラグのステータス・フィールドＤ５には、個々のソース・プラグＳＰ１から出力する信号に関する可変情報を設定し、ソース・プラグ番号フィールドＦ５には、従来のチューナ・ステータス・ディスクリプタＤ１０１と同様に、着目するソース・プラグＳＰ１のプラグＩＤを設定する。入力フィールドＦ６にはソース・プラグＳＰ１がアンテナ・デスティネーション・プラグＡＤＰ１からの入力をＤＥＭＵＸ処理した信号を出力する場合は０を設定し、ＤＥＭＵＸ・デスティネーション・プラグＤＤＰ１からの入力をＤＥＭＵＸ処理した信号を出力する場合は１を設定する。意味としては従来のソース・プラグ・ステータスのフィールドＤ１０５における入力フィールドＦ１０６と同じである。続く下位７ビットの「デマルチプレクサのデスティネーション・プラグの数から１を減算した値」（demux#destination#plug−１）のフィールドＦ７には、ソース・プラグＳＰ１がアンテナ・デスティネーション・プラグＡＤＰ１からの入力をＤＥＭＵＸ処理した信号を出力する場合は００ｈを設定し、ＤＥＭＵＸ・デスティネーション・プラグＤＤＰ１からの入力をＤＥＭＵＸ処理した信号を出力する場合は、そのＤＥＭＵＸ・デスティネーション・プラグＤＤＰ１のプラグＩＤを設定する。つまり、図３において、プラグＩＤ＝０のソース・プラグＳＰ１はアンテナ・デスティネーション・プラグＡＤＰ１からの入力をＤＥＭＵＸ処理した信号を出力するので、対応するソース・プラグ・ステータスのフィールドＤ５の入力フィールドＦ６に０を設定し、「デマルチプレクサのデスティネーション・プラグの数から１を減算した値」のフィールドＦ７に００ｈを設定する。また、プラグＩＤ＝ｎ−１のソース・プラグＳＰ１は、プラグＩＤ＝ｍのＤＥＭＵＸ・デスティネーション・プラグＤＤＰ１からの入力をＤＥＭＵＸ処理した信号を出力するので、対応するソース・プラグ・ステータスのフィールドＤ５の入力フィールドＦ６に１設定し、「デマルチプレクサのデスティネーション・プラグの数から１を減算した値」のフィールドＦ７にプラグＩＤであるｍから１を減算した値を設定する。
【００５０】
以上の本実施の形態のチューナ・ステータス・ディスクリプタにより、ＤＶＢチューナ・サブユニットにおけるソース・プラグの出力状態を、入力元であるアンテナ・デスティネーション・プラグまたはＤＥＭＵＸ・デスティネーション・プラグとの対応を明確にした上で、その情報を保持し、接続機器にその情報を開示することが可能となる。
【００５１】
次に、本発明の実施の形態によるＤＶＢチューナ・サブユニット１３に付随するコマンドセットである選局コマンドについて説明する。ここではＤＳＩＴコマンドを例に取るが、他の選局コマンドにおいても同様である。このようなコマンドはデジタル信号機器９のコマンド制御手段９ａで発行される。コマンド制御手段は、ＩＥＥＥ接続機器であればすべての機器に設けられているが、ここではデジタル受信機１Ｂ、デジタル信号機器９に備わっているとする。
【００５２】
本実施の形態のＤＳＩＴコマンドの構成を図１０に示す。図２３に示す従来のＤＳＩＴコマンドとの違いは、オペランド［４］の下位７ビットのフィールドを、デスティネーション・プラグ（destination#plug）と定義する点である。上位１ビットの入力フィールドＦ９及びオペランド［１］のソース・プラグのフィールドＦ８は、従来のＤＳＩＴコマンドにおける入力フィールドＦ１１９及びソース・プラグのフィールドＦ１１８と同じ意味を持ち、同じ設定を行う。
【００５３】
デスティネーション・プラグのフィールドＦ１０の説明をする。図１１及び図１２に本実施の形態のＤＳＩＴコマンドの設定値を示す。図１１は本実施の形態におけるＤＳＩＴコマンドを用いて、ＤＶＢチューナ・サブユニット１３にアンテナ入力信号に対しチューニング及びＤＥＭＵＸ処理後、ソース・プラグＳＰ１からの出力を指定する場合の設定値を表したものである。このときオペランド［４］において、入力フィールドＦ１１に０を設定し、デスティネーション・プラグのフィールドＦ１２にアンテナ・デスティネーション・プラグＡＤＰ１のプラグＩＤを設定する。例えば図４の接続モデル中のＤＶＢチューナ・サブユニット１３に対して要求する場合は、アンテナ・デスティネーション・プラグＡＤＰ１のプラグＩＤである００ｈを設定する。この場合は、従来のＤＳＩＴコマンドと同じ設定である。
【００５４】
また、図１２は、本発明の実施の形態におけるＤＳＩＴコマンドを用いてＤＶＢチューナ・サブユニット１３のＤＥＭＵＸ入力信号に対しＤＥＭＵＸ処理を指定し、ソース・プラグＳＰ１からの出力を指定する場合の設定値である。このときオペランド［４］において入力フィールドＦ１３に１を設定し、デスティネーション・プラグのフィールドＦ１４にソース・プラグのフィールドＦ８において指定するソース・プラグにＤＶＢチューナ・サブユニット１３の内部で結線しているＤＥＭＵＸデスティネーション・プラグのプラグＩＤから１を減算した値を設定する。例えば図４の接続モデル中のＤＶＢチューナ・サブユニット１３に対し、プラグＩＤ＝１のＤＥＭＵＸ・デスティネーション・プラグＤＤＰ１からの入力に対し、ソース・プラグＳＰ１からの出力を要求する場合は、デスティネーション・プラグのフィールドＦ１４にはＤＥＭＵＸ・デスティネーション・プラグＤＤＰ１のプラグＩＤ―１、即ち００ｈを設定する。ここでデスティネーション・プラグのフィールドＦ１４の設定の際に１を減算しているのは、従来のＤＳＩＴコマンドのみをサポートする１３９４接続機器と接続した場合の整合性を保つためである。
【００５５】
以上の本実施の形態のＤＳＩＴコマンドにより、ＤＶＢチューナ・サブユニットに対し、任意の信号に対するチューニング要求またはＤＥＭＵＸ処理要求を行うことが可能となる。
【００５６】
次に、本発明の実施の形態による図４のような仮想接続モデルを持つデジタル受信機１Ｂから、本実施の形態によるＤＳＩＴコマンドを用いて、任意の内部信号を任意の出力先、例えば１３９４シリアルバスＢに伝送する方法を図１３のフローチャートを用いて説明する。
【００５７】
まずステップＳ１において、デジタル受信機１Ｂは、１３９４シリアルバスＢによるネットワークに接続し、モデル化記憶手段８Ｂにより、図４の接続モデルを備えている状態にする。次にステップＳ２において、ネットワーク上に接続しているデジタル信号機器９は、デジタル受信機１Ｂに対し１３９４コマンドを用いて接続モデルに関する情報を要求する。それらの１３９４コマンドには、ユニット情報（UNIT  INFO）コマンド、サブユニット情報（SUB UNIT  INFO）コマンド、プラグ情報（PLUG  INFO）コマンド、接続ステータス（CONNECT  STATUS）コマンド、接続（CONNECTIONS）コマンドがある。
【００５８】
デジタル受信機１Ｂはこれらのコマンドを受信すると、接続モデルの情報、即ち接続モデル中に存在するサブユニットの種類、サブユニットが持つプラグの数、プラグの結線状態を情報として付与したレスポンスをデジタル信号機器９宛に送信する。デジタル信号機器９はこれらレスポンスの内容を解釈することによって、デジタル受信機１Ｂが持つ接続モデルの構成及び内部のプラグの結線状態を把握し、ＤＳＩＴコマンドの送信に必要な情報を収拾する。次にステップＳ３において、デジタル信号機器９はステップＳ２で得た情報を元に、入力側、出力側において信号が経由するための経路を確立する。信号経路の確立には、接続制御（CONNECT  CONTROL）コマンドを用いる。例えばシリアル入力プラグＳＩＰ１とＤＶＢチューナ・サブユニット１３のＤＥＭＵＸ・デスティネーション・プラグＤＤＰ２との結線を要求し、信号経路を確立する。出力側の経路確保においては、ＤＶＢチューナ・サブユニット１３のソース・プラグＳＰ１やＳＰ２と、シリアル出力プラグＳＯＰ１、ＳＯＰ２など任意のプラグとを結線を要求し、信号経路を確立する。
【００５９】
次にステップＳ３の経路の確立が成功した場合、ステップＳ４において、デジタル信号機器９はデジタル受信機１ＢのＤＶＢチューナ・サブユニット１３に対し図１０に示すＤＳＩＴコマンドを送信し、入力信号にチューニング及びＤＥＭＵＸ処理の少なくとも一方を施し、指定するソース・プラグから信号を出力することを要求する。さらにステップＳ５において、加えて他の信号出力を要求する場合、ステップＳ３、ステップＳ４を繰り返す。ステップＳ６において、ステップＳ３、ステップＳ４における要求に基づいた信号経路が確立され、所望の信号が出力されている状態となる。またここで、リード・ディスクリプタ（READ  DESCRIPTOR）コマンド等を用いて図５に示すチューナ・ステータス・ディスクリプタを読み出し、実際に所望のＤＶＢチューナ・サブユニット１３のソース・プラグＳＰ１やＳＰ２から所望の信号が出力されているかどうかの確認ができる。
【００６０】
以上が本実施の形態のＤＳＩＴコマンドを用いて任意の内部信号を任意の出力先、例えば１３９４シリアルバスに伝送する方法の説明である。
【００６１】
以上のように、ＤＶＢチューナ・サブユニット及びチューナ・ディスクリプタ及びＤＳＩＴコマンドを用いれば、接続機器に対し必要最低限の情報を保持及び開示し、単純な制御手順を備えることで、複数のＤＥＭＵＸ信号を同時に伝送できるデジタル受信機及び伝送方法を実現することができる。また本発明のデジタル受信機に対しては勿論のこと、１３９４接続機器が従来のデジタル受信機に対しても制御を行うことも可能であり、互換性は失っていない。なお以上の説明は、ＤＶＢチューナを搭載するデジタル受信機に対して行ったが、同様の接続モデルを備える電子機器にも適用可能である。またデジタル受信機と他のデジタル信号機器とをネットワークを介してデータを入出力する情報伝送方法をプログラム化し、そのプログラムを記録媒体に記録することもできる。
【産業上の利用可能性】
【００６２】
本発明の情報伝送方法は、ＩＥＥＥシリアルバスに接続できる機器であれば、ＳＴＢのみならず、他のデジタルＡＶ機器にも利用でき、シリアルバスを介して仮想接続モデルに準拠したコマンドを発行することにより、複数のコンテンツデータを同時に取得できる。
【図面の簡単な説明】
【００６３】
【図１】多機能なデジタル受信機の本発明の実施の形態による実体接続モデルを示すブロック図である。
【図２】本実施の形態にデジタル受信機に用いられるＤＶＢチューナ・サブユニットの内部接続状態を示すモデル図である。
【図３】本実施の形態によるＤＶＢチューナ・サブユニットの内部接続例を示すモデル図である。
【図４】デジタル受信機の本発明の実施の形態による仮想接続モデル図である。
【図５】本実施の形態によるチューナ・ステータス・ディスクリプタの構成図（その１）である。
【図６】本実施の形態によるチューナ・ステータス・ディスクリプタの構成図（その２）である。
【図７】本実施の形態によるチューナ・ステータス・スディスクリプタの記述例（その１）である。
【図８】本実施の形態によるチューナ・ステータス・ディスクリプタの記述例（その２）である。
【図９】本実施の形態によるチューナ・ステータ・ディスクリプタの記述例（その３）である。
【図１０】本実施の形態によるＤＶＢチューナ・サブユニットに付随するＤＳＩＴコマンドの構成図である。
【図１１】本実施の形態によるＤＳＩＴコマンドの設定値（その１）を示す説明図である。
【図１２】本実施の形態によるＤＳＩＴコマンドの設定値（その２）を示す説明図である。
【図１３】本発明の実施の形態による情報伝送方法の手順を示すフローチャートである。
【図１４】多機能なデジタル受信機の従来例による実体接続モデルを示すブロック図である。
【図１５】従来の規格によるデジタル受信機の仮想接続モデル図である。
【図１６】従来の規格によるＤＶＢチューナ・サブユニットの構成図である。
【図１７】従来の規格によるＤＶＢチューナ・サブユニットの接続例である。
【図１８】従来の規格によるチューナ・ステータス・ディスクリプタの構成図（その１）である。
【図１９】従来の規格によるチューナ・ステータス・ディスクリプタの構成図（その２）である。
【図２０】従来の規格によるチューナ・ステータス・ディスクリプタの記述例（その１）である。
【図２１】従来の規格によるチューナ・ステータス・ディスクリプタの記述例（その２）である。
【図２２】従来の規格によるチューナ・ステータス・ディスクリプタの記述例（その３）である。
【図２３】従来の規格によるＤＶＢチューナ・サブユニットに付随するＤＳＩＴコマンドの構成図である。
【図２４】従来の規格によるＤＳＩＴコマンドの設定例（その１）を示す説明図である。
【図２５】従来の規格によるＤＳＩＴコマンドの設定例（その２）を示す説明図である。
【符号の説明】
【００６４】
１Ａ，１Ｂ  デジタル受信機
２  アナログチューナ
３  デジタルチューナ
４  ＤＥＭＵＸ処理ブロック
５  大容量記憶装置
６  アナログ出力ブロック
７  デジタル入出力ブロック
８Ａ  コマンド制御手段
８Ｂ  モデル化記憶手段
８Ｃ  変換手段
９  デジタル信号機器
９ａ  コマンド制御手段
１０  アナログ信号機器
１１Ａ、１１Ｂ  ユニット
１２  アナログチューナ・サブユニット
１３  ＤＶＢチューナ・サブユニット
１４  ディスク・サブユニット
１５  チューニングブロック
１６  ＤＥＭＵＸ処理ブロック
Ｂ  １３９４シリアルバス
Ｄ１  チューナ・ステータス・ディスクリプタ
Ｄ２  ゼネラル・チューナ・ステータス・フィールド
Ｄ３  アンテナ入力情報フィールド
Ｄ４  デマルチプレックサの入力情報フィールド
Ｄ５  ソース・プラグ・ステータス・フィールド
ＡＤＰ１  アンテナ・デスティネーション・プラグ
ＤＤＰ１、ＤＤＰ２  デマルチプレックサのデスティネーション・プラグ
ＥＩＰ１、ＥＩＰ２  外部入力プラグ
ＥＯＰ１  外部出力プラグ
ＳＩＰ１  シリアル入力プラグ
ＳＯＰ１、ＳＯＰ２、ＳＯＰ３  シリアル出力プラグ
ＳＰ１、ＳＰ２、ＳＰ３  ソース・プラグ
ＳＷ１（Ａ）、ＳＷ１（Ｂ）、ＳＷ１（Ｃ）、ＳＷ２  スイッチ
【図１】
2005094290.tif 000003
【図２】
2005094290.tif 000004
【図３】
2005094290.tif 000005
【図４】
2005094290.tif 000006
【図５】
2005094290.tif 000007
【図６】
2005094290.tif 000008
【図７】
2005094290.tif 000009
【図８】
2005094290.tif 000010
【図９】
2005094290.tif 000011
【図１０】
2005094290.tif 000012
【図１１】
2005094290.tif 000013
【図１２】
2005094290.tif 000014
【図１３】
2005094290.tif 000015
【図１４】
2005094290.tif 000016
【図１５】
2005094290.tif 000017
【図１６】
2005094290.tif 000018
【図１７】
2005094290.tif 000019
【図１８】
2005094290.tif 000020
【図１９】
2005094290.tif 000021
【図２０】
2005094290.tif 000022
【図２１】
2005094290.tif 000023
【図２２】
2005094290.tif 000024
【図２３】
2005094290.tif 000025
【図２４】
2005094290.tif 000026
【図２５】
2005094290.tif 000027